(57)【要約】【課題】商品に適した商品陳列面を確保し、かつ、商品を傷めずに、見栄えも良く、また密度を高めてより多くの商品を陳列することができるとともに、広範囲の環境で使用することができるようにした商品陳列用補助具を提供する。【解決手段】幅広面１２と幅狭面１３とが、側面視においてほぼ直角をなして前後方向に交互に連続するようにして形成した商品陳列面１０を有し、この商品陳列面１０が上方を向くようにして、商品陳列台上に載置し、前記幅広面１２と幅狭面１３とのいずれかに商品１５を載置して、商品をひな段状に陳列するようにした商品陳列用補助具９において、幅狭面１３を側面視において凹入する円弧面とする。【選択図】図７
2007125224.tif 000002
【特許請求の範囲】
【請求項１】
幅広面と幅狭面とが、側面視においてほぼ直角をなして前後方向に交互に連続するようにして形成した商品陳列面を有し、この商品陳列面が上方を向くようにして、商品陳列台上に載置し、前記幅広面と幅狭面とのいずれかに商品を載置して、商品をひな段状に陳列するようにした商品陳列用補助具において、
前記幅狭面を、側面視において凹入する円弧面としたことを特徴とする商品陳列用補助具。
【請求項２】
幅広面を、側面視波形面とした請求項１記載の商品陳列用補助具。
【請求項３】
少なくとも商品陳列面を、耐水性と耐候性とに優れた弾性材により形成した請求項１または２記載の商品陳列用補助具。
【請求項４】
弾性材を、ポリオレフィン発泡体により形成した請求項３記載の商品陳列用補助具。
【発明の詳細な説明】
【技術分野】
【０００１】
本発明は、商店、スーパーマーケット、百貨店等において、商品陳列台上に商品を陳列するのに使用する商品陳列用補助具に関する。
【背景技術】
【０００２】
商品陳列台を使用した商品陳列では、顧客が多種多様の商品を容易に見得るように、またボリューム感を感ずるように、商品に対応して色々な陳列方法が採られている。例えば、商品陳列台の水平な陳列面(商品支持面)上に仕切りを設け、該陳列面上に仕切りごとに商品を並べたり、または陳列面を傾斜させて商品を並べたり、あるいは陳列面にひな段を設けて該ひな段ごとに商品を並べたりする等の陳列方法が採られている。
【０００３】
しかし、多種多様の商品の、頻繁に起こる陳列変更に対応できる商品陳列台をそれぞれ用意しておくことは、費用の面および保管スペースの面で困難である。そこで、同じ１台の商品陳列台を変化できるようにしておき、例えば商品陳列台の陳列面を水平にし、その水平にした陳列面に商品を陳列したり、陳列面を傾斜させ、その傾斜した陳列面に商品を陳列したり、あるいは陳列面の上に着脱自在な商品陳列用補助具を載置して、ひな段を形成し、このひな段上に商品を陳列したりすることができるようにした商品陳列台が、従来から知られている(例えば、特許文献１参照)。
【特許文献１】特許第３４５９０５９号公報(図８参照)
【発明の開示】
【発明が解決しようとする課題】
【０００４】
特許文献１に記載されている商品陳列用補助具は、ひな段状の商品陳列台を形成している商品陳列面が、水平面とこの水平面に隣接する垂直面とを連続させた形状で作られている。しかし、多種多様の商品の中には、商品の表面が球面となっているもの、商品の長さが水平面よりも若干長いもの、外部から押されるのを嫌うもの等がある。
【０００５】
商品の表面が球面となっているものでは、陳列したときに、垂直面との間に隙間が作られるので、見栄えを悪くし、また陳列密度も低く、陳列効率が悪い。
【０００６】
商品の長さが水平面よりも若干長いものでは、商品を陳列したときに、水平面よりも前側に突き出した形になるので、見栄えを悪くし、また陳列密度も低く、陳列効率が悪い。
【０００７】
外部から押されるのを嫌うものでは、そのまま陳列面に押し当てられると、傷んだりする場合があるので、商品の周りにクッション材を設けて保護する等の対策が必要で、取り扱いが面倒になる。
【０００８】
また、一般に、商品陳列台は、室内・室外を問わず、また炎天下や厳寒の中、さらに雨天の中等、あらゆる環境の中でも使用されることが多い。したがって、これらの環境に耐得ることが必要となるが、特許文献１には、これらの対処法については全く記載されていない。
【０００９】
本発明は、上述のような従来の課題を解決するためになされたもので、商品に適した商品陳列面を確保し、かつ、商品を傷めずに、見栄えも良く、また密度を高めてより多くの商品を陳列することができるとともに、広範囲の環境で使用することができるようにした商品陳列用補助具を提供することを目的としている。
【課題を解決するための手段】
【００１０】
本発明によると、上記課題は、次のようにして解決される。
（１）幅広面と幅狭面とが、側面視においてほぼ直角をなして前後方向に交互に連続するようにして形成した商品陳列面を有し、この商品陳列面が上方を向くようにして、商品陳列台上に載置し、前記幅広面と幅狭面とのいずれかに商品を載置して、商品をひな段状に陳列するようにした商品陳列用補助具において、前記幅狭面を、側面視において凹入する円弧面とする。
【００１１】
（２）上記(１)項において、幅広面を、側面視波形面とする。
【００１２】
（３）上記(１)または(２)項において、少なくとも商品陳列面を、耐水性と耐候性とに優れた弾性材により形成する。
【００１３】
（４）上記(３)項において、弾性材を、ポリオレフィン発泡体により形成する。
【発明の効果】
【００１４】
請求項１記載の発明によると、球面形状を有する商品等を陳列際等に、幅狭面に形成した凹部内に商品の一部を入れて、商品を幅広面上に載置して、垂直面との間に隙間をなくした状態で陳列することができるので、陳列の見栄えを良くし、購買意欲を高めることができる。また、陳列密度も上がり、陳列効率を高めることができる。また、商品を幅狭面に載置して、幅広面にもたせかけるようにして陳列する場合は、商品の一部が幅狭面の円弧状の凹入部分に嵌合することにより、商品の落下が防止される。
【００１５】
請求項２記載の発明によると、幅広面を側面視波形面としてあるので、この上に載置した商品が移動しずらくなり、商品の転落が防げる。
【００１６】
請求項３記載の発明によると、少なくとも商品を陳列する商品陳列面を、耐水性と耐候性とに優れた弾性材により形成してあるので、室内・室外を問わず、また炎天下や厳寒の中、さらに雨天の中等、あらゆる環境の中で使用することが可能になる。また、商品は、弾性を有する商品陳列面で支えられるので、商品を傷めずに陳列することができる。
【００１７】
請求項４記載の発明によると、弾性材を、ポリオレフィン発泡体としてあるので、耐水性と耐候性とに優れ、しかも十分な弾性を有する商品陳列面を形成することができる。
【発明を実施するための最良の形態】
【００１８】
以下、本発明の実施形態を、図面に基づいて説明する。
図１〜図３は、本発明の商品陳列用補助具を適用する商品陳列台の一例を示すもので、立方形の台枠(１)の前部上面には、前板(２)が立設され、それ以外の上面には、平面形が台枠(１)と同形等大の陳列板(３)が配設されている。陳列板(３)の前端は蝶番(４)により台枠(１)に蝶着され、蝶番(４)を支点として、後端側が上下方向に回動でき、陳列板(３)の全体を、図１および図２に示す水平状態から、図３に示す後上向き傾斜状態に切り換えできるようになっている。
【００１９】
台枠(１)と陳列板(３)との間には、陳列板(３)が後上向き傾斜状態とされたときに、その傾斜状態を保持しておくための支持杆(５)が設けられている。支持杆(５)の後端は枢軸(６)をもって、台枠(１)に回動可能に枢支され、枢軸(６)を支点として遊端側が上下方向に回動可能になっている。そして、陳列板(３)を傾斜状態に回動させて、陳列板(３)側の３個の係合溝(８)の中の１個の係合溝(８)に支持杆(５)の遊端部(７)を選択的に係合させると、係合溝(８)に対応した傾斜角度で、図３に示すように陳列板(３)を後上向き傾斜状態で保持することができる。
【００２０】
図４および図５は、図１および図２に示した商品陳列台の陳列板(３)上に設置されて、商品をひな段状に並べて陳列し得るようにするための、本発明に係る商品陳列用補助具(９)を示す。
【００２１】
図４および図５において、商品陳列補助具(９)は、発泡性を有する合成樹脂材を、成形型内で発泡させて所定の形状にして作られた一体成形物であり、平面形が陳列板(３)とほぼ同形等大の大きさで、一面に商品陳列面(10)が形成され、この裏側の面に陳列板(３)の上面に接して配置される裏面(11)が形成されている。なお、発泡性合成樹脂材としては、例えばポリオレフィン発泡体が好適である。このポリオレフィン発泡体は、耐水性と耐候性とに優れ、かつ十分な弾性を有している。
【００２２】
商品陳列面(10)は、側面視において互いにほぼ直角をなす幅広面(12)と幅狭面(13)とが前後方向に交互に連続するように形成され、全体として、ひな段状をなしている。
【００２３】
幅広面(1２)には、陳列商品の落下防止用としての左右方向に延びる複数の溝(14)が、側面視波形面を形成するように前後方向に等間隔をおいて設けられている。一方、幅狭面(13)は、側面視において凹入する円弧面としてある。
【００２４】
このように形成された商品陳列補助具(９)は、図３に示すように、商品陳列台の台枠(１)に対し傾斜された状態でセットされている陳列板(３)上に、その接地面(11)を下側に向けて載置される。この載置の仕方は、図４に示すように、幅狭面(13)が上側で、幅広面(12)が下側となって、ほぼ水平をなす第１使用態様と、反対に、図５に示すように、幅広面(12)が上側で、幅狭面(13)が下側となる第２使用態様との２態様があり、この態様は、陳列する商品の種類および陳列の仕方等に応じてその都度選択することができる。
【００２５】
図６および図７は、商品陳列補助具(９)の使用例を示す図である。
次に、図６および図７を用いて、商品陳列補助具(９)の使用方法を説明する。先ず商品陳列台を用意し、陳列する商品および陳列の仕方等に応じて、台枠(１)に対する陳列板(３)の傾きを調節する。続いて、陳列板(３)の上に商品陳列補助具(９)を、その裏面(11)を下側に向け、かつ、上記第１，第２の使用態様のいずれかを選択して載置する。図６は、第１使用態様で載置した状態を示している。
【００２６】
第１使用態様で載置した場合では、図６に示すように、幅広面(12)がほぼ水平の陳列面となり、幅広面(12)上に商品(15)を載置する。この場合、商品(15)がを６および図７に示すように、リンゴや梨等のように球形のものでは、球面の一部が垂直壁を形成している幅狭面(13)の円弧面内に入り込み、幅狭面(13)との間にできる隙間を極力少なくした状態で陳列できる。陳列面となる幅広面(12)には、凹溝(14)によって波形面が形成されているので、その凹溝(14)により、商品(15)が前後方向に移動しずらくなり、商品の転落が防止される。
【００２７】
図７に示すように、第２使用態様で載置した場合では、幅狭面(13)が陳列面となる。この場合、商品がリンゴや梨等のように球形のものでは、球面の一部が幅狭面(13)の円弧面内に入り込み、その円弧面によって、商品の前方への転落が防止される。
【００２８】
この実施形態の商品陳列補助具(９)によれば、耐水性と耐候性に優れた弾性材であるポリオレフィン発泡体で形成しているので、室内・室外を問わず、また炎天下や厳寒の中、さらに雨天の中等、あらゆる環境の中で使用することが可能になる。
商品は、弾性を有する商品陳列面で支えられるので、商品を傷めずに陳列することができる。
また、商品陳列面(９)を幅広面(12)と幅狭面(13)とでひな段状に形成しているので、顧客にボリューム感を与え、また商品を容易に見得るようにして配列することができる。これにより、陳列効果が向上し、購買意欲を高めることができる。幅狭面(13)を凹入する円弧面としたことにより、各段の角部が鋭角となるが、この部分が弾性材により形成されているので、商品が各段の角部に当たって傷が付くのを保護することができる。
【００２９】
さらに、陳列時に幅狭面を垂直壁としたときは、それと商品との間の隙間を少なくすることができるので陳列効率も高まる。また、幅狭面(13)に設けた円弧面および幅広面(12)に設けた溝(14)が、商品の移動を抑え、該商品の転落を防ぐことができるので、商品を安定して陳列することができる。
【００３０】
なお、上記実施形態では、補助陳列補助具(９)の全てをポリオレフィン発泡体で成形してなる構造を示したが、例えば内部に芯材を設け、その外側表面全体をポリオレフィン発泡体で被覆したり、あるいは各段の角部となる部分だけをポリオレフィン発泡体で形成するようにしてもよい。
【図面の簡単な説明】
【００３１】
【図１】本発明の商品陳列用補助具を使用する商品陳列台の外観斜視図である。
【図２】陳列板を水平に倒した状態で示す同上商品陳列台の側面図である。
【図３】陳列板を傾斜させた使用状態で示す同上商品陳列台の側面図である。
【図４】本発明の一実施形態である商品陳列用補助具を、幅狭面を下側にした状態で示す斜視図である。
【図５】同じく、幅広面を下側にした状態で示す斜視図である。
【図６】同じく、第１使用態様を示す側面図である。
【図７】同じく、第２使用態様を示す側面図である。
【符号の説明】
【００３２】
(１)台枠
(２)前板
(３)陳列板
(４)蝶番
(５)支持杆
(６)枢軸
(７)遊端部
(８)係合溝
(９)商品陳列補助具
(10)商品陳列面
(11)裏面
(12)幅広面
(13)幅狭面
(14)溝(波形面を形成する溝)
(15)商品
【図１】
2007125224.tif 000003
【図２】
2007125224.tif 000004
【図３】
2007125224.tif 000005
【図４】
2007125224.tif 000006
【図５】
2007125224.tif 000007
【図６】
2007125224.tif 000008
【図７】
2007125224.tif 000009